(57)【要約】【課題】マニキュア液の収納に用いた場合、爪に塗布したマニキュアを傷めることなく、キャップの取り付け及び取り外しが片手の操作で行うことができる容器を提供する。【解決手段】容器本体３の筒口２を、その内径が上下に貫通する上端大径のテーパ孔５となるよう、また、その外形の上部が下部大径のテーパ部７で下部が小径軸８となるようにして、テーパ部７の下面に係止段部９を設けて形成し、筒口２に嵌着するキャップ４が、筒口２に外嵌するキャップ本体１１の内部に、テーパ孔５に嵌合する上下動可能なテーパ状の栓体１２と、この栓体１２の下部に位置し、筒口２のテーパ部７に対して上部からの押し込み通過が可能であり、通過後に係止段部９に対して係合する弾性係止部材１３と、上記キャップ本体１１に対して栓体１２に下降位置への弾性を付勢するスプリング１４とを収納し、上記キャップ本体１１に、弾性係止部材１３の係止段部９への係合を解くための係止解除手段１５を設けて形成されている。【選択図】  図１
2004250101.tif 000002
【特許請求の範囲】
【請求項１】
上部に筒口を設けた容器本体と、この容器本体の筒口に着脱自在に取り付けるキャップとの組み合わせからなり、上記筒口は、下部大径のテーパ部と、その下部に設けた小径軸とを有し、テーパ部の下面に係止段部を設けて形成され、上記キャップは、筒口に外嵌するキャップ本体の内部に、筒口の開口を閉鎖する上下動可能な栓体と、この栓体の下部に位置し、筒口のテーパ部に対して上部からの押し込み通過が可能であり、通過後には係止段部に対して係合する弾性係止部材と、上記キャップ本体に対して栓体に下降位置への弾性を付勢する弾性体とを収納して形成され、上記キャップ本体に、弾性係止部材を押圧して係止段部への係合を解くための係止解除手段が設けられている容器。
【請求項２】
上記弾性係止部材は、ばね性のある材料を用い、その内径は、自然状態でテーパ部の最大径よりも長い長軸と、テーパ部の最大径よりも短く、かつ、テーパ部の最小径よりも長い短軸とを有し、長軸方向に圧縮することでその内径がテーパ部の最大径よりも大径になる輪状体に形成されている請求項１に記載の容器。
【請求項３】
上記係止解除手段は、キャップ本体の周壁を内外に移動可能となるよう貫通し、その内端を弾性係止部材とこの弾性係止部材の長軸方向の位置で接続した押し込み部材によって形成され、この押し込み部材の移動ストロークは、押し込み時に弾性係止部材を長軸方向に圧縮してその内径をテーパ部の最大径よりも大径の輪状体にすることができるように設定されている請求項１又２に記載の容器。
【請求項４】
上記係止解除手段は、キャップ本体の上面に上下可動に設けた押し下げ部材と、キャップ本体の内部で弾性係止部材の長軸方向に沿う両側に配置され、上記押し下げ部材と一体に上下動する昇降杆と、この押し下げ部材と昇降杆に上昇位置への復帰弾性を付与する弾性体とで形成され、上記昇降杆の下端側に、押し下げ部材の押し下げによる昇降杆の下降動時に、上記弾性係止部材の長軸方向の外面とキャップ本体の内面の間に圧入し、弾性係止部材を長軸方向に圧縮させる楔部が設けられ、この楔部の弾性係止部材を圧縮させる量が、弾性係止部材を長軸方向に圧縮してその内径をテーパ部の最大径よりも大径の輪状体にすることができるように設定されている請求項１又２に記載の容器。
【請求項５】
上記係止解除手段は、請求項３に記載の係止解除手段と、請求項４に記載の係止解除手段の組み合わせによって形成されている容器。
【請求項６】
上記弾性係止部材と栓体を、弾性係止部材の径の変化で栓体を上下動させる一対の連動部材で連結し、この連動部材は、上下に長い板状に形成され、その下端部を弾性係止部材の長軸方向の両端部に係止解除手段と一体動するよう結合し、上端部が栓体と連結されている請求項１乃至５の何れかに記載の容器。
【請求項７】
上記弾性係止部材と栓体、連動部材及び押し込み部材が、弾性変形可能な合成樹脂を用いて一体成形されている請求項１、２、４〜６の何れかに記載の容器。
【請求項８】
上記栓体の下面で、筒口の上端に接する部分に、筒口の上端開口を密封するシール材を設けた請求項１乃至７の何れかに記載の容器。
【請求項９】
上記栓体の下面に、筒口内に挿入して容器本体の内部に進入させる軸体を突設し、この軸体の下端に刷毛を設けた請求項１乃至８の何れかに記載の容器。
【発明の詳細な説明】
【０００１】
【発明の属する技術分野】
この発明は、各種液体や粉粒体等の収納に適した容器、更に詳しくは、容器本体をキャップで密閉することができると共に、キャップの着脱による容器本体の開閉が片手のワンタッチ操作で簡単に行えるようにし、しかも、乳幼児が誤ってキャップを外すような危険の発生を少なくした容器に関する。
【０００２】
【従来の技術】
液体を収納する容器として、例えば、揮発性の液体であるマニキュア液を収納するための容器は、キャップによる閉鎖時に密閉性が要求されると共に、キャップには、マニキュア液を爪に塗布するための手段を設ける必要がある。
【０００３】
従来のマニキュア液の容器は、上部に筒口を設けた容器本体と、この容器本体の筒口に着脱自在に取り付けるキャップとからなり、上記筒口は内径が上下に貫通するストレート孔となり、外径に雄ねじが形成されている。
【０００４】
また、キャップは、内径に上記雄ねじへ螺合するための雌ねじを形成し、その内部に突設した軸体の下端に刷毛を設けた構造を有し、ストレート孔に刷毛を先頭にして軸体を挿入した状態で、筒口にキャップをねじ込んで外嵌螺合することにより、容器本体を密閉するようになっている。
【０００５】
また、マニキュア液の使用時には、キャップを緩める方向に回して筒口から取り外し、軸体をストレート孔から抜き出し、マニキュア液が付着している下端の刷毛で該マニキュア液を爪に塗布するものである。
【０００６】
上記した従来のマニキュア液の容器は、容器本体の筒口に対するキャップの取り付けがねじ構造になっているため、キャップの取り付け及び取り外しを行うには、一方の手で容器本体を保持し、他方の手でキャップを回すという、両手での操作が必要になる。
【０００７】
また、マニキュア液は揮発性（液体）であるので、爪にマニキュアを塗布形成したら、容器本体をキャップで速やかに密閉するのが好ましい。また、爪に塗布形成したマニキュアは、乾燥するまでの時間を待たなければならない。
【０００８】
【発明が解決しようとする課題】
上記した従来の容器のように、キャップの取り付けがねじ構造であると、キャップを何回も回さなければならず、容器本体の開閉に手間と時間がかかるという問題がある。
【０００９】
このため、マニキュア液用の容器として用いた場合、爪にマニキュア液を塗布した後速やかに容器本体をキャップで密閉する必要があるが、その際、爪に塗布形成したマニキュアが未だ乾燥していない状態で、容器本体とキャップをそれぞれ握ってキャップを素早く何回も指先で回すという、両手での操作が必要になり、このような操作は、爪に塗布形成したマニキュアを傷めないようにして作業を行わなければならないが、注意をしていても入念に仕上げた乾燥前のマニキュアがどこかに接触して傷めてしまうという事態が往々にして発生する。
【００１０】
また、従来のマニキュア液用の容器における容器本体の筒口は、軸体と刷毛の抜き差しが容易なように、ストレート孔を比較的大径に設定してあるので、軸体と刷毛を抜き出したとき、刷毛に対するマニキュア液の付着量がどうしても多くなり、このため、爪にマニキュア液を塗布するときは、ストレート孔の上端部で刷毛をシゴキ作業（トリム作業）をすることにより、余剰のマニキュア液を除去して刷毛のマニキュア液付着量を調整する作業が必要になる。
【００１１】
このような刷毛のシゴキ作業は、マニキュアの塗布形成に余分な時間がかかるだけでなく、シゴキ作業によって生じた余剰マニキュア液が筒口の上端部に付着することで、筒口を汚すと共に、その分マニキュア液に無駄が生じることになる。
【００１２】
そこで、この発明の課題は、容器本体に対するキャップの取り付け及び取り外しが片手のワンタッチ操作で行うことができるようにしたことで、例えば、マニキュア液の収納に用いた場合、爪に塗布したマニキュアを傷めることなく、速やかにキャップの取り付け及び取り外しができ、しかも、刷毛に対する余分なマニキュア液の付着発生をなくすことができる容器を提供することにある。
【００１３】
【課題を解決するための手段】
上記のような課題を解決するため、請求項１の発明は、上部に筒口を設けた容器本体と、この容器本体の筒口に着脱自在に取り付けるキャップとの組み合わせからなり、上記筒口は、下部大径のテーパ部と、その下部に設けた小径軸とを有し、テーパ部の下面に係止段部を設けて形成され、上記キャップは、筒口に外嵌するキャップ本体の内部に、筒口の開口を閉鎖する上下動可能な栓体と、この栓体の下部に位置し、筒口のテーパ部に対して上部からの押し込み通過が可能であり、通過後には係止段部に対して係合する弾性係止部材と、上記キャップ本体に対して栓体に下降位置への弾性を付勢する弾性体とを収納して形成され、上記キャップ本体に、弾性係止部材を押圧して係止段部への係合を解くための係止解除手段が設けられている構成を採用したものである。
【００１４】
請求項２の発明は、請求項１の発明において、上記弾性係止部材は、ばね性のある材料を用い、その内径は、自然状態でテーパ部の最大径よりも長い長軸と、テーパ部の最大径よりも短く、かつ、テーパ部の最小径よりも長い短軸とを有し、長軸方向に圧縮することでその内径がテーパ部の最大径よりも大径になる輪状体に形成されている構成を採用したものである。
【００１５】
請求項３の発明は、請求項１又２の発明において、上記係止解除手段は、キャップ本体の周壁を内外に移動可能となるよう貫通し、その内端を弾性係止部材とこの弾性係止部材の長軸方向の位置で接続した押し込み部材によって形成され、この押し込み部材の移動ストロークは、押し込み時に弾性係止部材を長軸方向に圧縮してその内径をテーパ部の最大径よりも大径の輪状体にすることができるように設定されている構成を採用したものである。
【００１６】
ここで、上記キャップ本体は、下端部が筒状に形成され、容器本体の上部には、弾性係止部材が筒口の係止段部に係合している状態で、キャップ本体の筒部下端が当接する平面を有し、キャップ本体はその上部が横方向の外力を受けてもガタツクことのないようになっている。
【００１７】
また、上記係止解除手段は、キャップ本体の対向する両側に押し込み部材を設け、双方向からの押し込みで弾性係止部材を長軸方向に圧縮することができるように形成することもできる。
【００１８】
請求項４の発明は、請求項１又２の発明において、上記係止解除手段は、キャップ本体の上面に上下可動に設けた押し下げ部材と、キャップ本体の内部で弾性係止部材の長軸方向に沿う両側に配置され、上記押し下げ部材と一体に上下動する昇降杆と、この押し下げ部材と昇降杆に上昇位置への復帰弾性を付与する弾性体とで形成され、上記昇降杆の下端側に、押し下げ部材の押し下げによる昇降杆の下降動時に、上記弾性係止部材の長軸方向の外面とキャップ本体の内面の間に圧入し、弾性係止部材を長軸方向に圧縮させる楔部が設けられ、この楔部の弾性係止部材を圧縮させる量が、弾性係止部材を長軸方向に圧縮してその内径をテーパ部の最大径よりも大径の輪状体にすることができるように設定されている構成を採用したものである。
【００１９】
請求項５の発明は、上記係止解除手段は、請求項３の発明に記載の係止解除手段と、請求項４の発明に記載の係止解除手段の組み合わせによって形成されている構成を採用したものである。
【００２０】
請求項６の発明は、請求項１乃至５の何れかに記載の発明において、上記弾性係止部材と栓体を、弾性係止部材の径の変化で栓体を上下動させる一対の連動部材で連結し、この連動部材は、上下に長い板状に形成され、その下端部を弾性係止部材の長軸方向の両端部に係止解除手段と一体動するよう結合し、上端部が栓体と連結されている構成を採用したものである。
【００２１】
請求項７の発明は、請求項１、２、４〜６の何れかに記載の発明において、上記弾性係止部材と栓体と連動部材及び押し込み部材が、弾性変形可能な合成樹脂を用いて一体成形されている構成を採用したものである。
【００２２】
請求項８の発明は、請求項１乃至７の何れかに記載の発明において、上記栓体の下面で、筒口の上端に接する部分に、筒口の上端開口を密封するシール材を設けた構成を採用したものである。
【００２３】
請求項９の発明は、請求項１乃至８の何れかに記載の発明において、上記栓体の下端に、筒口内に挿入して容器本体の内部に進入させる軸体を突設し、この軸体の下端に刷毛を設けた構成を採用したものである。
【００２４】
上記キャップ本体の内部と栓体の上端には、一方にシリンダ筒と他方にこのシリンダ筒内へ嵌合するガイド軸を設け、キャップ本体に対する栓体の上下動を誘導すると共に、キャップ本体の内部に適合するスプリング受を栓体の上部に設け、キャップ本体の内部とスプリング受の間に縮設したスプリングで、栓体にキャップ本体に対する下降位置への弾性を付勢している。
【００２５】
従って、キャップ本体を筒口に外嵌して弾性係止部材を筒口の係止段部に係合させると、栓体はスプリングの弾性で筒口の上端開口に圧接し、この上端開口を弾力的に閉鎖することになり、このとき、栓体の下面に設けたシール材が密封性を向上させることになる。
【００２６】
また、上記容器の筒口の内径をテーパ孔としてその下端を小径にすることにより、容器をマニキュア液の収納に用いた場合、軸体と刷毛を容器本体から引き出した時、小径部分で刷毛をシゴキ作業することができ、余分なマニキュア液の付着がなく、そのままで爪に対するマニキュアの塗布形成が行えることになる。
【００２７】
【発明の実施の形態】
以下、この発明の実施の形態を図示例と共に説明する。
【００２８】
図１乃至図４に示す第１の実施の形態の容器１は、上部中央に筒口２を突設した容器本体３と、この容器本体３の筒口２に着脱自在に取り付け、筒口２を開閉するキャップ４との組み合わせによって形成されている。
【００２９】
上記容器本体３の上部に設けた筒口２の外形は、上半部が下部大径のテーパ部７で下半部が小径軸８となり、テーパ部７の下端面に係止段部９を設けて形成され、この筒口２を上下に貫通するよう設けた孔が、上部に位置する上端大径のテーパ孔５と、このテーパ孔５の下端に連なる下部のストレートな小径孔６とからなっている。
【００３０】
上記キャップ４は、筒口２に上部から抜き差し可能に外嵌するキャップ本体１１の内部に、テーパ孔５を開閉する栓体１２と、筒口２のテーパ部７に対して上部からの押し込み通過が可能であり、通過後には係止段部９に対して係合する弾性係止部材１３及び、キャップ本体１１に対して栓体１２に下降位置への弾性を付勢するスプリング１４とを収納し、上記キャップ本体１１の下部周壁に、弾性係止部材１３の係止段部９への係合を解くための係止解除手段１５を設けた構造になっている。
【００３１】
上記キャップ本体１１は、上端閉鎖で下端が開口する内部中空の筒形となり、その内部の下部内径がテーパ部７に外嵌するテーパ開口１０に形成され、このキャップ本体１１の内部に設けた栓体１２は、テーパ開口１０の上部に上下動可能となるよう位置して上記テーパ孔５に嵌合するテーパ状となり、また、弾性係止部材１３は、この栓体１２の下部に位置するようキャップ本体１１内に設けられ、筒口２のテーパ部７に対して上部からの押し込みによって通過が可能であり、通過後には係止段部９に対して上方への抜け止め状に係合するように形成されている。
【００３２】
上記キャップ本体１１に対する栓体１２の上下動を誘導するため、キャップ本体１１の内部上端にシリンダ筒１６と、栓体１２の上端にこのシリンダ筒１６内へ摺動可能に嵌合するガイド軸１７を設け、栓体１２の上記ガイド軸１７に、キャップ本体１１の内部中空孔に適合するスプリング受１８を設け、キャップ本体１１の内部上端とスプリング受１８の間に縮設したスプリング１４で、栓体１２にキャップ本体１１に対する下降方向への弾性を付勢している。
【００３３】
なお、上記とは逆に、シリンダ筒１６を栓体１２に、ガイド軸１７をキャップ本体１１に設け、シリンダ筒１６にスプリング受１８を設けるようにしてもよいと共に、このスプリング受１８を省き、キャップ本体１１の内部上端と栓体１２の上面の間にスプリング１４を縮設した構造を採用することができる。
【００３４】
上記栓体１２は、テーパ孔５に嵌合することにより、容器本体３の内部を密閉することができるように形成され、また、スプリング受１８はキャップ本体１１の内部中空孔１０ａに摺動可能に嵌合する円板状となり、このスプリング受１８とキャップ本体１１の内部上端の間に設けたスプリング１４は、シリンダ筒１６とガイド軸１７に対して外嵌している。
【００３５】
上記栓体１２がキャップ本体１１から抜け出ることのないように下降位置を保持するため、例えば、スプリング１４の上端をキャップ本体１１に、下端をスプリング受１８に固定した構造とするほか、図１のように、キャップ本体１１の内部中空孔の内周に二本の縦溝２１を対向して形成し、スプリング受１８の外周にこの縦溝２１内への嵌合部分２１ａを設け、縦溝２１の下端ストッパー面２１ｂでスプリング受１８を受けることで抜け止めとしたり、縦溝２１に代えて、キャップ本体１１の内部中空孔１０ａの下端にスプリング受１８の下面を受けるストッパーを突設し、スプリング１４は、キャップ本体１１の内部上端とスプリング受１８の間に単に縮設しただけの構造としてもよい。
【００３６】
上記弾性係止部材１３は、ばね性のある材料を用いて略楕円形や紡錘形に形成され、図１（ｂ）や図４のように、その内径が、自然状態で筒口２におけるテーパ部７の下端最大径よりも長い長軸と、テーパ部７の下端最大径よりも短く、かつ、テーパ部７の上端最小径よりも長くなる短軸を有し、長軸方向に圧縮することで、その内径の全体がテーパ部７の最大径よりも大径の輪状体に変化するようになっている。
【００３７】
この弾性係止部材１３は、二枚の板ばねを用いて形成したり、一枚の板ばねを二つ折りにしたり、リング状の板ばねを二つ折りの偏平状に加工することによって形成することができ、これらに用いる材料としては、ばね性のある金属と硬質で弾性のある合成樹脂の何れでもよく、合成樹脂の場合は弾性係止部材１３を一体成形することができ、上記弾性係止部材１３は、キャップ本体１１のテーパ開口１０の下端に連ねて形成した大径孔１０ｂ内に納まっている。
【００３８】
上記係止解除手段１５は、キャップ本体１１の下部周壁で大径孔１０ｂを設けた部分に設けた横孔と、この横孔をキャップ本体１１の半径方向へ移動可能に貫通する軸状の押し込み部材１５ａによって形成され、この押し込み部材１５ａの外端は押し込み操作用の大径頭部を有し、その内端は、大径孔１０ｂ内に納まる弾性係止部材１３の周壁で長軸側の一方端部と接続固定されている。
【００３９】
上記弾性係止部材１３は、押し込み部材１５ａとの接続固定により大径孔１０ｂ内に配置され、弾性係止部材１３の長軸側の他方端部はキャップ本体１１の大径孔１０ｂの内周に当接もしくは固定した状態となり、押し込み部材１５ａを押し込まない時、弾性係止部材１３は上記した自然状態にあり、押し込み部材１５ａを押し込むと、弾性係止部材１３は長軸方向に圧縮を受けることになり、従って、押し込み部材１５ａの移動ストロークは、図３のように、押し込み時に弾性係止部材１３を長軸方向に圧縮し、その内径全体をテーパ部７の下端最大径よりも大径の輪状体にすることができるように設定されている。
【００４０】
図示の場合、上記した係止解除手段１５は、押し込み部材１５ａをキャップ本体１１の片側に設けた例を示したが、この押し込み部材１５ａをキャップ本体の対向する両側に設け、双方向からの押し込みで弾性係止部材１３を長軸方向に圧縮することができるように形成することもできる。
【００４１】
図示の場合、容器１は、マニキュア液Ａの収納に用いる例を示し、上記栓体１２の下端に、筒口２のテーパ孔５に挿入して容器本体３の内部に進入させる軸体１９を突設し、この軸体１９の下端に刷毛２０が設けられていると共に、容器本体３の内部底面は、図１（ａ）や図２で示すように、周囲から中央に向けて下がり傾斜で中央部が最も深くなるよう形成され、刷毛２０は先端が最も深い部分に臨むように長さが設定され、マニキュア液Ａを全量使い切ることができるようになっている。
【００４２】
なお、上記した容器本体３とキャップ本体１１、栓体１２やその他の各構成部材は、ガラス、合成樹脂、焼き物、ゴム、金属等、各構成部材の機能及び容器本体３内に収納せんとする物体の種類に合わせて材質を選択すればよく、例えば、マニキュア液Ａの収納に用いる場合、容器本体３はガラスや耐マニキュア液性の合成樹脂を用い、栓体１２は合成樹脂やゴムのようなシール性の優れたものを用いるのが好ましい。
【００４３】
この発明の第１の実施の形態の容器１は、上記のような構成であり、図１は容器本体３の筒口２にキャップ４を上から被せて取り付けた閉鎖状態を示し、テーパ部７にテーパ開口１０が外嵌し、栓体１２がテーパ孔５内に嵌合し、容器本体３の内部を密閉していると共に、スプリング１４を圧縮した状態で、キャップ本体１１の弾性係止部材１３は筒口２に外嵌し、短軸方向が小径軸８に嵌まってその上端縁がテーパ部７の下面に形成された係止段部９に係合し、キャップ本体１１の抜け止め状態を保持している。
【００４４】
容器本体３の内部に収納したマニキュア液Ａを使用する場合は、キャップ本体１１に設けた押し込み部材１５ａを内側に指先で押し込めばよく、押し込み部材１５ａを押し込むと、弾性係止部材１３は長軸方向に圧縮を受け、図３のように、その内径全体がテーパ部７の下端最大径よりも大径の輪状体に変化するので、短軸方向はテーパ部７の下面係止段部９との係合が解け、この係合が解けると、テーパ孔５に嵌合している栓体１２を反力支持点としてスプリング１４の伸長弾性でキャップ本体１１が押し上げられ、弾性係止部材１３も一体に上昇して下面係止段部９よりも上方に移動する。
【００４５】
この時点で、押し込み部材１５ａによる弾性係止部材１３の押し込みを解くと、弾性係止部材１３は、短軸方向への自らの復元弾性により短軸方向が短くなり、テーパ部７の外面を両側から挟むようになることで、テーパ部７の傾斜する外面を上方に滑動することになり、従って、スプリング１４と弾性係止部材１３の共動した作用によりキャップ本体１１を押し上げることになる。
【００４６】
上記のように、押し込み部材１５ａの押し込みを解いてキャップ本体１１を持ち上げると、キャップ本体１１と一体動する栓体１２がテーパ孔５から抜け、続けてテーパ孔５から軸体１９と刷毛２０を抜き出せばよく、テーパ孔５の下端小径孔６を通過する刷毛２０がシゴキ作業されることになり、従って、刷毛２０に余分なマニキュア液Ａの付着がなく、そのままで爪に対するマニキュアの塗布形成が行えることになり、塗布作業の能率を向上させることができる。
【００４７】
この塗布作業時において、軸体１９を介して刷毛２０を取り付けた栓体１２は、キャップ本体１１の内部上端と栓体１２の上端に設けたシリンダ筒１６とガイド軸１７が嵌合し、かつ、スプリング受１８がキャップ本体１１の内部に嵌合しているので、軸体１９に揺動の発生がない支持構造となり、刷毛２０によるマニキュア液の塗布作業を支障なく行うことができる。
【００４８】
なお、弾性係止部材１３は、押し込み部材１５ａによる長軸方向の押し込みが解かれると、自身の持つ復元弾性により、短軸方向が所定間隔で接近した自然状態に復帰することになる。
【００４９】
上記のように、刷毛２０によるマニキュア液の塗布が終わると、キャップ本体１１を保持したまま刷毛２０を先頭にして軸体１９をテーパ孔５に挿入しながら、キャップ本体１１を筒口２に真上から被せるようにして押し込めばよく、弾性係止部材１３はテーパ部７に外嵌し、その短軸方向間がテーパ部７で押し広げられるように押し込んで行くと、途中で栓体１２がテーパ孔５に嵌合し、この時点でスプリング１４を圧縮するようにキャップ本体１１を更に押し込むと、弾性係止部材１３の短軸方向間がテーパ部７の最大径を通過し、通過後に自身の持つ復元弾性で弾性係止部材１３の短軸方向間が小径軸８を挟み、短軸方向の上端部がテーパ部７の下面係止段部９に係合するため、筒口２に対してキャップ本体１１は抜け止め状となり、栓体１２がテーパ孔５を密閉した状態になる。
【００５０】
上記のように、容器本体３の筒口２に対するキャップ４の取り外しは、押し込み部材１５ａを指先で押し込むだけでよく、また、筒口２に対するキャップ４の取り付けは、刷毛２０を筒口２に差し込みながら、真上からキャップ４を被せるようにして手で押し込めばよく、従って、何れの操作も片手で行うことができ、爪へのマニキュアの塗布形成後に両手を使うことなく容器本体３を開閉できるので、乾燥前のマニキュアをどこかに接触させて傷めるというような事態を防ぐことができる。
【００５１】
なお、上記説明では、容器本体３の収納流体としてマニキュア液を例示したが、収納する液体は特に限定されるものではなく、例えば、他の液体としては、ペディキュア液、除光液等があり、液体以外に粉粒体を収納することもでき、また、図示例では、押し込み部材１５ａを片側にだけ設けたが、キャップ本体１１に対して、押し込み部材１５ａを弾性係止部材１３の長軸方向の両側に設け、弾性係止部材１３を双方向から同時に押し込めることができるようにすることもできる。
【００５２】
図５乃至図８は、この発明に係る容器の第２の実施の形態を示している。なお、上述した第１の実施の形態と同一部分には、同一符号を付すことにより構造の説明に代える。
【００５３】
この第２の実施の形態の容器１は、容器本体３の上部に設けた筒口２が、下部大径のテーパ筒部３１と、このテーパ筒部３１の下端に連なる小径軸部３２と、小径軸部３２の下端に連なる大径部３３とからなり、テーパ筒部３１の下面に係止段部９を形成すると共に、容器本体３の上端が大径部３３の下部周囲で平坦面になっている。
【００５４】
キャップ４は、キャップ本体１１の下部内径が筒口２に対して余裕をもって外嵌する空室３４になり、下端部に形成した円筒部３５が容器本体３の大径部３３に嵌合する内径を有し、筒口２に外嵌する状態で下端部が平坦面に当接するようになっている。
【００５５】
このキャップ本体１１の空室３４内に上下動可能となるよう収納した栓体３６は、テーパ筒部３１の上端部外径と同径かそれよりも少し大径となる円板状で、テーパ筒部３１の上端開口を閉鎖することができるようになっており、その下面にテーパ筒部３１の上端開口に対する嵌合部３７を設けて形成され、この栓体３６の下方位置に所定の距離をおいて弾性係止部材１３が配置され、キャップ本体１１内の上部に、栓体３６に上記キャップ本体１１に対して下降方向への弾性を付勢するスプリング１４が収納され、上記キャップ本体１１の下部周囲で対向する両側の位置に弾性係止部材１３の係止解除手段１５が設けられている。
【００５６】
上記弾性係止部材１３と栓体３６は、上端が互いに内側に接近するような形状に形成した両側一対の連動部材３８で連結され、弾性係止部材１３の径の変化に追従して栓体３６を上下動させるようになっている。
【００５７】
この連動部材３８は、板ばねのような上下に長い板材を用いて形成され、図８のように、その下端部を弾性係止部材１３の長軸方向の両端部において、押し込み部材１５ａの小径軸部４１に外嵌し、押し込み部材１５ａの大径軸部の端面と弾性係止部材１３の間に挟まれて、弾性係止部材１３の長軸方向に一体動するよう結合され、また、上端部は栓体３６の両側の位置に枢止ピン３９を介して枢止連結されている。
【００５８】
図８のように、連動部材３８の枢止ピン３９に対する上端の外嵌枢止部分は、連動部材３８の角度と位置の変化を許容するよう、ピン孔４０の内径を円弧面にしたり、枢止ピン３９に対してルーズな内径になっている。
【００５９】
また、押し込み部材１５ａに対する連動部材３８の下端は、押し込み部材１５に設けた小径軸部４１に嵌合する横孔４２を、小径軸部４１に対してルーズな内径に設定し、連動部材３８の角度と位置の変化を許容するよう、小径軸部４１の段部と弾性係止部材１３の間に位置させている。
【００６０】
このような連動構造により、押し込み部材１５ａと連動部材３８の下端は、弾性係止部材１３の長軸方向に一体に移動し、押し込み部材１５ａを押し込むと、連動部材３８の下端枢止点が内方へ移動することで、連動部材３８の上部枢止点はその分だけ上方に逃げることになり、このため、筒口２の上端開口を閉鎖する水平状態にある栓体３６は連動部材３８で強制的に押上げられ、マニキュア液Ａの接着力で、筒口２の上端開口に栓体３６が接着しているような場合でも、栓体３６を筒口２から確実に引き離すことができることになる。
【００６１】
この発明の第２の実施の形態の容器１は、上記のような構成であり、図５のように、容器本体３の筒口２にキャップ４を取り付けた閉鎖状態では、キャップ本体１１の弾性係止部材１３が小径軸３２に嵌まってその上端縁がテーパ筒部３１の下面に設けた係止段部９に係合し、栓体３６がテーパ筒部３１上に重なって上端開口を閉鎖し、これにより、キャップ本体１１は、円筒部３５が大径部３３に嵌合した抜け止め状となり、スプリング１４の圧縮による反発弾性で栓体３６がテーパ筒部３１上に重なって上端開口を密閉している。
【００６２】
このとき、栓体３６は押し込み部材１５ａと一対の連動部材３８を介してキャップ本体１１と連結されているので、圧縮されたスプリング１４の反発弾性が栓体３６に直接作用し、テーパ筒部３１上への圧接力が強固になり、テーパ筒部３１を確実に密閉することができることになる。
【００６３】
また、一対の連動部材３８は、弾性係止部材１３の長軸方向への押し出し反発力を得て引き下げられることになり、これが、栓体３６を筒口２へ圧接させる加勢力となる。
【００６４】
容器本体３の内部に収納したマニキュア液Ａを使用する場合は、キャップ本体１１に設けた両側の押し込み部材１５ａを指先で押し込めばよく、押し込み部材１５ａを押し込むと、弾性係止部材１３は、内径が筒口２の最大径よりも大径の輪状体になるので、係止段部９との係合が解け、同時に連動部材３８の下端が内方へ移動することで栓体３６を押上げ、これをテーパ筒部３１の上端から強制的に離反させ、更に、栓体３６に対してスプリング１４の伸長弾性でキャップ本体１１が押上げられる。
【００６５】
キャップ本体１１が少し上昇したのち押し込み部材１５ａの押し込を解いた場合、押し込みから開放され弾性係止部材１３は、自らの短軸方向への戻り運動が加わることでテーパ筒部３１の傾斜する外面を上方に滑動することになる。
【００６６】
上記のように、押し込み部材１５ａの押し込みを解くか、押し込みを維持したままキャップ本体１１を持ち上げると、筒口２からキャップ本体１１が抜け、続いて筒口２から軸体１９と刷毛２０を抜き取れば、刷毛２０に付着したマニキュア液Ａで爪に対するマニキュアの塗布形成が行えることになる。
【００６７】
また、弾性係止部材１３は、押し込み部材１５ａによる長軸方向の押し込みが解かれると、短軸方向が接近した自然状態に復帰し、この弾性係止部材１３の自然状態への復帰とスプリング１４の押し下げで栓体３６は下降位置に戻ることになる。
【００６８】
上記のように、刷毛２０によるマニキュア液の塗布が終わると、キャップ本体１１を保持して刷毛２０を先頭にして軸体１９を筒口２内に挿入しながら、キャップ本体１１を筒口２に真上から被せるようにして押し込めばよく、弾性係止部材１３はテーパ筒部３１に外嵌し、その短軸方向の間がテーパ筒部３１で押し広げられるように押し込んで行くと、栓体３６が筒口２の上端に当接すると同時に弾性係止部材１３の短軸方向間がテーパ筒部３１の最大径を通過し、弾性係止部材１３は、自身の持つ復元弾性で短軸方向間が小径軸部３２を挟み、短軸方向の上端部がテーパ筒部３１の下面係止段部９に係合するため、筒口２に対してキャップ本体１１は抜け止め状となり、栓体３６が筒口２を密閉した状態になる。
【００６９】
図９乃至図１１は、この発明に係る容器の第３の実施の形態を示している。なお、上述した第１及び第２の実施の形態と同一部分には、同一符号を付すことにより構造の説明に代える。
【００７０】
この第３の実施の形態では、弾性係止部材１３を長軸方向に押圧するための係止解除手段が、キャップ本体１１の上部からの押し下げ操作によっても行えるようにしたものであり、図示の例では、上述した第２の実施の形態の係止解除手段１５と併用されている。
【００７１】
この第３の実施の形態の係止解除手段１５ｂは、キャップ本体１１の上面に上下可動に設けた押し下げ部材５１と、キャップ本体１１の内部で弾性係止部材１３の長軸方向に沿う両側に配置され、上記押し下げ部材５１と一体に上下動する上下に長い昇降杆５２と、この押し下げ部材５１と昇降杆５２に上昇位置への復帰弾性を付与するスプリング５３とで形成されている。
【００７２】
上記押し下げ部材５１は、上端が閉鎖された内部中空の筒状に形成され、この押し下げ部材５１の下端部がキャップ本体１１の上面に形成した環状溝５４内に収まり、上記キャップ本体１１の内部で上端部の位置に組み込んだ昇降板５５と上記押し下げ部材５１が、キャップ本体１１の上部壁を上下動可能に貫通する連結軸５６で一体に上下動するよう結合され、押し下げ部材５１の内部には、押し下げ部材５１に常時上昇位置に復帰する弾性を付勢するスプリング５３が縮設されていると共に、上記昇降板５５の下面で両側の位置に、キャップ本体１１の内周に沿って下方に伸びる昇降杆５２が設けられている。
【００７３】
この昇降杆５２の下端側には、キャップ本体１１の中心側に向く面に、下端に向けてキャップ本体１１の外側方向へ下がり傾斜のテーパーとなるよう設けた楔部５７と、この楔部５７の下端から連なって厚みが薄くなった垂直の平板部５８とが形成され、平板部５８には上下方向の長孔５９が設けられ、図１０のように、平板部５８は、長孔５９を押し込み部材１５ａの大径軸部に嵌挿することにより、キャップ本体１１の内周面と連動部材３８の間に介在するように位置している。
【００７４】
上記押し込み部材１５ａに長孔５９が嵌挿されていることにより、押し下げ部材５１と昇降板５５及び昇降杆５２は、キャップ本体１１に対して長孔５９の移動範囲で一体に上下動可能になっている。
【００７５】
上記楔部５７は、昇降杆５２の下端側で長孔５９を設けた部分の上部に位置し、押し下げ部材５１の押し下げによる昇降杆５２の下降動時に、上記弾性係止部材１３の長軸方向の外面とキャップ本体１１の内面の間に圧入し、楔作用で弾性係止部材１３を長軸方向に圧縮させるものであり、この楔部５７の下降動によって弾性係止部材１３を圧縮させる量が、弾性係止部材１３を長軸方向に圧縮してその内径をテーパ筒部３１の最大径よりも大径の輪状体にすることができるように設定されている。
【００７６】
なお、キャップ本体１１の内部に昇降板５５と昇降杆５２を組み込む関係上、栓体３６に下降弾性を付勢するスプリング１４の処理は、図９のように、キャップ本体１１の内部に下面が開口するスプリングケース６０を複数の支持桟６１を介して同軸心の配置で設け、このスプリングケース６０内に、ガイド軸１７とスプリング受１８及びスプリング１４を収納し、昇降板５５及び昇降杆５２の昇降に干渉が生じないようにしている。
【００７７】
また、キャップ本体１１の下端部内周は、図５で示したように、筒口２の大径部３３に嵌合し、容器１に対するキャップ４の安定した取り付け姿勢を保持することになるが、大径部３３の外周にマニキュア液が付着していると、このマニキュア液によってキャップ本体１１の下端部が大径部３３に接着し、キャップ本体１１の取り外しが困難な事態が発生することがある。
【００７８】
そこで、図１１のように、キャップ本体１１の下端部内周に、先鋭となる断面形状を有する垂直方向の突条６４を複数設け、この突条６４群が大径部３３に嵌合することにより、キャップ本体１１の下端部内周と大径部３３の感に隙間を確保して接触面積を少なくし、大径部３３の外周にマニキュア液が付着していても、キャップ本体１１の下端部が大径部３３に接着することのないようにしている。
【００７９】
この第３の実施の形態の容器は、上記のような構成であり、容器本体３の筒口２にキャップ４を取り付けた閉鎖状態では、キャップ本体１１に対して押し下げ部材５１と昇降板５５及び昇降杆５２が上昇位置にあり、昇降杆５２の平板部５８がキャップ本体１１の内周面と連動部材３８の間に介在している以外は、図５で示したように、上述した第２の実施の形態の場合と基本的に同一である。
【００８０】
容器本体３の内部に収納したマニキュア液Ａを使用する場合は、キャップ本体１１の上部に突出する押し下げ部材５１を手のひらや指先で押し下げればよく、押し下げ部材５１を押し下げると、昇降板５５と昇降杆５２が一体に下降し、昇降杆５２に設けた楔部５７が弾性係止部材１３の長軸方向の外面とキャップ本体１１の内面の間に圧入し、楔作用で弾性係止部材１３を長軸方向に圧縮させることになり、この楔部５７が弾性係止部材１３を長軸方向に圧縮してその内径をテーパ部３１の最大径よりも大径の輪状体にするので、弾性係止部材１３は係止段部９との係合が解け、同時に連動部材３８の下端が内方へ移動することで栓体３６を押上げ、第２の実施の形態の場合と同様に、テーパ筒部３１から栓体３６が離反し、キャップ本体１１は持ち上げることによって筒口２から抜けることになる。
【００８１】
上記押し下げ部材５１の押し下げを解けば、スプリング５３の弾性で押し下げ部材５１と昇降板５５及び昇降杆５２が一体に上昇し、楔部５７が弾性係止部材１３の長軸方向の外面とキャップ本体１１の内面の間から抜けることで弾性係止部材１３の長軸方向の圧縮が解け、弾性係止部材１３は短軸方向が短くなる元の形状に戻ることになり、また、キャップ４で筒口２を閉じるときは、上述した第２の実施の形態の場合と同様、キャップ本体１１を筒口２に上から被せるような押し込み操作で行うことができる。
【００８２】
この第３の実施の形態においては、押し下げ方式の係止解除手段１５ｂと、第２の実施の形態の係止解除手段１５を組み合わせた例を示している。
【００８３】
従って、キャップ４を外す場合に、押し下げ部材５１の押し下げと同時に両側の押し込み部材１５ａも押し込むという、三本の指を使った操作を行うことができ、弾性係止部材１３の長軸方向の圧縮が、楔部５７と押し込み部材１５ａで同時に行えるので、弾性係止部材１３の圧縮が容易となるという利点がある。
【００８４】
このような弾性係止部材１３の長軸方向の圧縮は、キャップ４を保持する手の親指と中指で両側の押し込み部材１５ａを押し、人差し指で押し下げ部材５１を押し下げればよいので、キャップの取り外しは片手操作で行えることになる。
【００８５】
なお、第３の実施の形態で示した係止解除手段１５ｂは、図示例では、第２の実施の形態の係止解除手段１５と組み合わせ使用したが、第２の実施の形態の係止解除手段１５を省いて、第３の実施の形態で示した係止解除手段１５ｂだけの単独の構造として採用するようにしてもよい。
【００８６】
図１２（ａ）に示す第４の実施の形態は、上記第２及び第３の実施の形態において、弾性係止部材１３と、その上部に位置する栓体３６と、栓体３６の中心に位置するガイド軸１７と、弾性係止部材１３と栓体３６を結合する一対の連動部材３８及び、弾性係止部材１３の長軸方向の両端に位置する押し込み部材１５ａを、弾性変形可能な硬質の合成樹脂を使用して一体成形した例を示している。
【００８７】
このような構成部品の主要部を合成樹脂で一体成形品とすることにより、各構成部品の組み立て及びキャップ本体１１内への組み込みのための作業を大幅に簡略化することができ、製作コストの低減を図ることができる。
【００８８】
上記一体成形品をキャップ本体１１内に組み込む場合は、図１０（ａ）と（ｂ）に示したように、キャップ本体１１の両側下端部に設ける押し込み部材１５ａの貫通孔６２を、キャップ本体１１の下端で開放するよ上下方向の長孔に形成し、この貫通孔６２に押し込み部材１５ａの軸部を嵌挿した状態で、キャップ本体１１の下端に別体のリング体６３を接着や凹凸の嵌め合わせ等で固着して貫通孔６２の下端を閉鎖するようにすればよい。
【００８９】
上記した第２乃至第４の各実施の形態において、一対の連動部材３８で弾性係止部材１３と栓体３６を結合した構造とすると、刷毛２０によるマニキュア液の塗布作業時に、軸体１９の安定性が一層高まり、塗布作業が円滑に行うことができるという利点がある。
【００９０】
また、上記した第２乃至第４の各実施の形態において、容器１の筒口２にキャップ４を取り付けた際、栓体３６による筒口２の密閉性がより確実に得られるようにするため、栓体３６の下面側にシール部材６５を取り付けることができ、図１２（ｂ）乃至図１６は、シール部材６５の異なった例とその取り付け構造を示している。
【００９１】
図１２（ｂ）に示す第１の例のシール部材６５は、フラットな板状シールを用い、これを栓体３６の下面で筒口２の上端に接する部分に重ねて取り付けたものである。
【００９２】
図１３（ａ）と（ｂ）に示す第２の例のシール部材６５は、上面側に弾性舌片６５ａを設けたＯリングを用い、図１４（ａ）と（ｂ）に示す第３の例は、シール部材６５に、一般的なＯリングを用い、これらのシール部材６５を、栓体３６の下面に設けた嵌合部３７の凹溝６６に弾力的に嵌め合わせて取り付けたものである。
【００９３】
また、図１５に示す第４の例のシール部材６５は、一般的なＯリングを用い、栓体３６の下面に形成した環状の凹溝６７内に上記シール部材６５の上半部を嵌め合わせて取り付けたものである。
【００９４】
図１６（ａ）乃至（ｃ）に示す第５の例のシール部材６５は、ゴム等のシール性のある材料を用い、栓体３６の下面に適合する円形シール板６８の中央に軸体１９の挿通孔６９を設け、この円形シール板６８の上面で両側の位置に、ガイド軸１７を逃がす間隔をおいて、栓体３６に両側から被せる一対の偏平な袋部７０、７０を設けて形成され、このシール部材６５は、図１６（ａ）と（ｂ）のように、栓体３６に下面側から弾力的に被せて取り付けることにより、円形シール板６８を栓体３６の下面に重ねるようにする。
【００９５】
上記した何れの例においても、筒口２の上端開口を栓体３６で閉鎖した際、栓体３６に取り付けたシール部材６５が筒口２の上端に弾力的に圧接することになり、これによって筒口２を確実に密封することができる。
【００９６】
【発明の効果】
以上のように、この発明によると、容器本体の筒口に対するキャップの取り外しは、押し込み部材を指先や手のひらで押し込むだけでよく、また、筒口に対するキャップの取り付けは、筒口の真上からキャップ部材を被せるようにして押し込めばよく、従って、何れの操作も片手で行うことができるようになり、例えば、容器本体をマニキュア液の収納用とした場合、マニキュアの塗布形成後に両手を使うことなく容器本体を開閉できるので、乾燥前のマニキュアを不注意でどこかに接触させて傷めるというような事態の発生を極めて少なくすることができる。
【００９７】
また、キャップの取り付け取り外しが、片手のワンタッチ操作で行えるので、ねじ式のように両手を用いてキャップを何度も回す必要がなくなり、容器本体の開閉が短時間で行えることになる。
【００９８】
更に、請求項１の発明によると、筒口の内径をテーパ孔とすることにより、その下端を小径にすることができ、容器本体をマニキュア液の収納用とした場合、テーパ孔から筆先を抜き取ればテーパ孔の下端小径部を通過する筆先がしごかれることになり、従って、筆先に余分なマニキュア液の付着がなく、そのままで爪に対するマニキュア液の塗布が行えることになり、テーパ孔の上端を余分なマニキュア液で汚すようなことがなく、かつ、塗布作業の能率を向上させることができる。
【００９９】
また、請求項４の発明によると、キャップ本体の上部に設けた押し下げ部材の押し下げによってキャップを容器から取り外すことができ、取り外し操作のための力を加えやすいので、キャップの取り外しが簡単に行うことができ、しかも、請求項３に記載の係止解除手段と、請求項４に記載の係止解除手段を組み合わせると、弾性係止部材の長軸方向への押圧が楔部と押し込み部材で同時に行え、キャップの取り外し操作が更に簡便となる。
【０１００】
また、請求項６の発明によると、連動部材で弾性係止部材と栓体を連結し、弾性係止部材の径の変化で栓体を上下動させるようにしたので、キャップを取り外すとき、栓体を筒口から強制的に引き離すことができ、内容物の接着力で筒口に栓体が密着しているような場合でも、栓体を筒口から強制的に引き離すことができ、容器本体からキャップを確実に取り外すことができる。
【０１０１】
また、請求項７の発明のように、弾性係止部材と栓体と、弾性係止部材と連動部材及び両側の押し込み部材を、弾性変形可能な硬質の合成樹脂を使用して一体成形すると、各構成部品の組み立て及びキャップ本体内への組み込みのための作業を大幅に簡略化することができ、製作コストの低減を図ることができる。
【図面の簡単な説明】
【図１】（ａ）はこの発明に係る第１の実施の形態の容器を示す閉鎖状態の縦断正面図、（ｂ）は（ａ）の矢印ｂ−ｂの横断平面図
【図２】この発明に係る第１の実施の形態の容器の開放状態を示す縦断正面図
【図３】図１の矢印ｂ−ｂにおいて、係止段部に対して弾性係止部材の係止を解いた状態を示す横断平面図
【図４】容器本体と弾性係止部材の分解斜視図
【図５】この発明に係る第２の実施の形態の容器を示す閉鎖状態の縦断正面図
【図６】この発明に係る第２の実施の形態の容器を示す開放状態の縦断正面図
【図７】（ａ）は弾性係止部材と栓体及び連結部材の構造を示す斜視図、（ｂ）は係止段部に対して弾性係止部材を係止した状態を示す横断平面図、（ｃ）は係止段部に対して弾性係止部材の係止を解いた状態を示す横断平面図
【図８】弾性係止部材と栓体に対する連結部材の接続構造を示す拡大した縦断面図
【図９】（ａ）はこの発明に係る第３の実施の形態の容器におけるキャップを示す縦断正面図、（ｂ）は（ａ）の矢印ｂ−ｂの横断平面図
【図１０】（ａ）は同上のキャップにおける弾性係止部材と栓体、連動部材及び押し込み部材の構造を拡大した縦断正面図、（ｂ）は同上におけるキャップ本体への組み込み部分構造を示す縦断正面図
【図１１】（ａ）は同上のキャップにおけるキャップ本体と係止解除手段の構造を示す縦断した斜視図、（ｂ）はキャップ本体の下端部の横断平面図
【図１２】（ａ）は弾性係止部材と栓体、連動部材及び押し込み部材を合成樹脂で一体成形した第４の実施の形態を示す斜視図、（ｂ）は下面に第１の例のシール材を設けた栓体の構造を示す縦断正面図
【図１３】（ａ）は下面に第２の例のシール材を設けた栓体の構造を示す縦断正面図、（ｂ）は同上のシール材の拡大した縦断正面図
【図１４】（ａ）は下面に第３の例のシール材を設けた栓体の構造を示す縦断正面図、（ｂ）は同上のシール材の拡大した縦断正面図
【図１５】下面に第４の例のシール材を設けた栓体の構造を示す縦断正面図
【図１６】（ａ）は第５の例のシール材を設けた栓体の構造を示す斜視図、（ｂ）は同縦断面図、（ｃ）は同シール材の斜視図
【符号の説明】
１      容器
２      筒口
３      容器本体
４      キャップ
５      テーパ孔
６      小径孔
７      テーパ部
８      小径軸
９      係止段部
１０    テーパ開口
１０ａ  内部中空孔
１０ｂ  大径孔
１１    キャップ本体
１２    栓体
１３    弾性係止部材
１４    スプリング
１５    係止解除手段
１５ａ  押し込み部材
１５ｂ  係止解除手段
１６    シリンダ筒
１７    ガイド軸
１８    スプリング受
１９    軸体
２０    刷毛
２１    縦溝
２１ａ  嵌合部分
２１ｂ  下端ストッパー面
３１    テーパ筒部
３２    小径軸部
３３    大径部
３４    空室
３５    円筒部
３６    栓体
３７    嵌合部
３８    連動部材
３９    枢止ピン
４０    ピン孔
４１    小径軸部
４２    横孔
５１    押し下げ部材
５２    昇降杆
５３    スプリング
５４    環状溝
５５    昇降板
５６    連結軸
５７    楔部
５８    平板部
５９    長孔
６０    スプリングケース
６１    支持桟
６２    貫通孔
６３    リング体
６４    突条
６５    シール材
６６    凹溝
６７    凹溝
６８    円形シール板
６９    挿通孔
７０    袋部
【図１】
2004250101.tif 000003
【図２】
2004250101.tif 000004
【図３】
2004250101.tif 000005
【図４】
2004250101.tif 000006
【図５】
2004250101.tif 000007
【図６】
2004250101.tif 000008
【図７】
2004250101.tif 000009
【図８】
2004250101.tif 000010
【図９】
2004250101.tif 000011
【図１０】
2004250101.tif 000012
【図１１】
2004250101.tif 000013
【図１２】
2004250101.tif 000014
【図１３】
2004250101.tif 000015
【図１４】
2004250101.tif 000016
【図１５】
2004250101.tif 000017
【図１６】
2004250101.tif 000018
【手続補正書】
【提出日】平成15年8月11日(2003.8.11)
【手続補正１】
【補正対象書類名】明細書
【補正対象項目名】請求項５
【補正方法】変更
【補正の内容】
【請求項５】
上記係止解除手段は、請求項３に記載の係止解除手段と、請求項４に記載の係止解除手段の組み合わせによって形成されている請求項１又は２に記載の容器。